(57)【要約】【課題】組み立て性を容易にしつつ、二次電池の負極缶が裏蓋に接触することを確実に防止できる時計を提供すること。【解決手段】裏蓋を有する外装ケースと、外装ケースに収容され、裏蓋側に開口して形成された収容凹部２３を有するムーブメント２と、前記収容凹部２３に収容されて負極キャップ３１２側が裏蓋側に配置される二次電池３１と、負極キャップ３１２上に固着されたマイナスリード板３２と、マイナスリード板３２上に接着された絶縁板３３とを備える。マイナスリード板３２は、負極キャップ３１２に固着されるリード板本体３２Ａと、リード板本体３２Ａから二次電池３１の外周側に突出された端子部３２Ｂとを備える。絶縁板３３は、リード板本体上に配置された平面部３３Ａと、端子部３２Ｂ上に配置された可動部３３Ｂとを備える。絶縁板３３は、平面部３３Ａの裏面側のみに設けられた接着層でリード板本体３２Ａに接着する。【選択図】図４
2012108042.tif 000002
【特許請求の範囲】
【請求項１】
裏蓋を有する外装ケースと、
前記外装ケースに収容され、前記裏蓋側に開口して形成された収容凹部を有するムーブメントと、
前記ムーブメントの前記収容凹部に収容され、負極缶側が裏蓋側に配置される二次電池と、
前記二次電池の負極缶上に固着されたマイナスリード板と、
前記マイナスリード板上に接着された絶縁板とを備え、
前記マイナスリード板は、前記二次電池の負極缶に固着されるリード板本体と、リード板本体から二次電池の外周側に突出された端子部とを備え、
前記絶縁板は、前記リード板本体上に配置された本体被覆部と、前記端子部上に配置された端子被覆部とを備え、前記本体被覆部の裏面側のみに接着層が設けられ、この接着層によって前記リード板本体に接着されている
ことを特徴とする時計。
【請求項２】
請求項１に記載の時計において、
前記収容凹部に対応する位置に開口部が形成されて、前記二次電池を固定する固定板を備え、
前記固定板は、前記裏蓋側から見た平面視において、前記開口部側に向けて突出し、前記収容凹部と重なる位置に設けられた電池押さえ部を備え、
前記電池押さえ部は、前記二次電池に当接する当接部と、前記当接部よりも先端側に設けられ、前記裏蓋の装着時に前記裏蓋に押圧されて前記当接部を前記二次電池側に押圧する押圧部とを備える
ことを特徴とする時計。
【請求項３】
請求項１または請求項２に記載の時計において、
前記マイナスリード板の端子部は、長手方向に直交する幅寸法が、前記リード板本体の幅寸法よりも小さい長手板状に形成され、
前記絶縁板の端子被覆部は、本体被覆部側の幅寸法に比べて先端側の幅寸法が小さく、かつ、面積が前記端子部よりも大きな平面形状に形成されている
ことを特徴とする時計。
【請求項４】
請求項１から請求項３のいずれかに記載の時計において、
前記絶縁板は、絶縁性の材料で構成された基材と、基材上に積層された保護材とを備えて構成されている
ことを特徴とする時計。
【発明の詳細な説明】
【技術分野】
【０００１】
本発明は、二次電池が内蔵された時計に関する。
【背景技術】
【０００２】
従来、ソーラーセル等の太陽電池や、回転錘によって作動される発電機で発電された電力を充電する二次電池を備えた二次電池内蔵式の時計が知られている。このような時計での二次電池は、充電が可能なものであるため、一次電池のように交換を必要としないものである。このため、二次電池は、押え板等で一般的に時計内部に固定されている。
【０００３】
ところで、時計では、一般に裏蓋やケースなどはプラス電位とされており、裏蓋やケースに二次電池の負極缶（マイナス電極）が接触するとショートする可能性がある。
このため、ムーブメント（時計モジュール）内に二次電池を組み込む場合、二次電池の負極缶が裏蓋等に接触しないように構成する必要がある。
例えば、特許文献１では、裏蓋側に開口した凹部を地板に形成し、前記凹部に二次電池を配置した際に、二次電池の負極缶が裏蓋側となる向きに配置されている。
そして、ムーブメントにねじ止めされる回路押え板で前記二次電池の負極缶を覆うことで、二次電池の負極缶が裏蓋に接触することを防止している。この構造以外では、二次電池、絶縁板、回路押え板（あるいは電池押え部材）の順番に積層して二次電池の負極缶が裏蓋に接触することを防止している。
【０００４】
しかしながら、特許文献１などでは、二次電池を凹部内に配置した後で、回路押え板をムーブメントにねじ止めしなければならず、組み立て性が低下する。さらに、時計内部のメンテナンス時に二次電池を取り外したり、劣化した二次電池を交換する場合には、ねじ止めされた回路押え板を取り外さなければならず、二次電池の取り外し作業も煩雑になる。
【０００５】
そこで、回路押え板を用いずに、時計モジュール内に二次電池を収容したものも提案されている（特許文献２参照）。
この特許文献２では、二次電池の正極缶が裏蓋側に露出する向きに組み込まれているため、二次電池の負極缶が裏蓋に接触することを防止できる。
【先行技術文献】
【特許文献】
【０００６】
【特許文献１】特開２００８−２０２７３号公報
【特許文献２】特開平１１−２５８３６６号公報
【発明の概要】
【発明が解決しようとする課題】
【０００７】
しかしながら、前記特許文献２では、二次電池の正極缶が裏蓋側に位置する向きに配置しなければならない。
このため、特許文献２のように、誤って一次電池を配置しても時計の回路に電気的に導通が取れないように、二次電池の負極缶に端子リード板を固着した場合、二次電池をムーブメント内に配置する作業が難しくなるという問題がある。
すなわち、特許文献２では、端子リード板の先端を二次電池の外周から突出する位置まで延長して設けている。そして、二次電池を裏蓋側からムーブメント内に配置する際に、前記端子リード板を、ムーブメント側の回路リード板の接点部に、二次電池の挿入側に対して裏側（時計表面側）から接触させなければならず、二次電池の取付作業が難しいという問題がある。
【０００８】
このため、端子リード板が固着された二次電池の負極缶を裏蓋側に配置できて組み立て性を向上でき、かつ、二次電池の裏蓋側に回路押え板を配置しなくても、前記負極缶が裏蓋に接触してショートすることを防止できる時計が求められている。
【０００９】
本発明の目的は、組み立て性を容易にしつつ、二次電池の負極缶が裏蓋に接触することを確実に防止できる時計を提供することにある。
【課題を解決するための手段】
【００１０】
本発明の時計は、裏蓋を有する外装ケースと、前記外装ケースに収容され、前記裏蓋側に開口して形成された収容凹部を有するムーブメントと、前記ムーブメントの前記収容凹部に収容され、負極缶側が裏蓋側に配置される二次電池と、前記二次電池の負極缶上に固着されたマイナスリード板と、前記マイナスリード板上に接着された絶縁板とを備え、前記マイナスリード板は、前記二次電池の負極缶に固着されるリード板本体と、リード板本体から二次電池の外周側に突出された端子部とを備え、前記絶縁板は、前記リード板本体上に配置された本体被覆部と、前記端子部上に配置された端子被覆部とを備え、前記本体被覆部の裏面側のみに接着層が設けられ、この接着層によって前記リード板本体に接着されていることを特徴とする。
【００１１】
本発明によれば、ムーブメントの収容凹部に収容される二次電池は、負極缶側が裏蓋側に配置され、正極缶側が地板側に配置される。そして、負極缶上にはマイナスリード板が固着され、マイナスリード板の表面（裏蓋側）には絶縁板が接着されている。このため、時計に衝撃が加わったために二次電池が収容凹部から裏蓋側に動いた場合でも、絶縁板が裏蓋に接触するため、マイナスリード板と裏蓋とが接触してショートすることを防止できる。
【００１２】
また、前記マイナスリード板の端子部は、二次電池の外周まで延出されているので、ムーブメントの収容凹部の外側に配置した回路基板の負極端子（マイナスパターン）に前記端子部を接触させて導通させることができる。
この際、前記端子部は、ばね性を有しているので、負極端子に接触した際に撓んで所定の押圧力（ばね力）で前記負極端子に接触して導通状態を維持できる。
さらに、前記絶縁板の端子被覆部には接着層が設けられていないので、前記端子部のばね力に影響を与えることがなく、端子部が二次電池の正極缶に接触することも確実に防止できる。
すなわち、端子部にばね性を持たせるため、端子部は、通常、細長い板状に形成される。この場合、端子部の両側に二次電池が露出する。また、絶縁板を端子部の両側の二次電池露出部分も被覆する形状とした場合、絶縁板の端子部の両側部分は端子部や端子板本体に重ならない。このため、絶縁板の裏面には、マイナスリード板で覆われずに露出する部分が生じる。従って、絶縁板の裏面全面に接着層を設けると、端子部の両側で絶縁板が直接二次電池に接着し、絶縁板で押さえつけられた端子部が二次電池の正極缶に接触してショートするおそれがある。
また、端子部に端子被覆部が接着され、端子部が絶縁板の端子被覆部と一体化されると、端子部のばね性に影響を与えてしまい、端子部と回路の負極端子との導通不良となるおそれがある。
これに対し、本発明では、前述のとおり、端子被覆部には接着層が無いため、これらの不都合を防止できる。
さらに、前記絶縁板は予め接着層を形成する範囲が決まっているため、ローコストであるシールタイプで構成できる。さらに、絶縁板には接着層が設けられていない部分があるため、台紙から絶縁板を容易に剥がすことができ、接着剤を塗布して貼り付ける場合に比べて貼付作業性も向上できる。
【００１３】
本発明の時計では、前記収容凹部に対応する位置に開口部が形成されて、前記二次電池を固定する固定板を備え、前記固定板は、前記裏蓋側から見た平面視において、前記開口部側に向けて突出し、前記収容凹部と重なる位置に設けられた電池押さえ部を備え、前記電池押さえ部は、前記二次電池に当接する当接部と、前記当接部よりも先端側に設けられ、前記裏蓋の装着時に前記裏蓋に押圧されて前記当接部を前記二次電池側に押圧する押圧部とを備えることが好ましい。
【００１４】
本発明によれば、ムーブメントの収容凹部に収容される二次電池は、裏蓋が装着されることで、固定板の電池押さえ部により押圧されて、収容凹部に固定される。すなわち、従来のように、二次電池を固定するための押え板等のねじ止め等を不要にでき、裏蓋を装着するのみの組み立て工程内で二次電池をムーブメントに収容して固定できる。従って、組み立て工程を簡略化でき、組み立て性を向上できる。一方、時計内部のメンテナンス時においても、裏蓋を取り外すのみの作業で、二次電池を収容凹部から容易に取り外すことができ、二次電池の取り外し作業を簡略化できる。
さらに、本発明では、裏蓋を装着することで二次電池をムーブメントの収容凹部に固定する。すなわち、裏蓋を装着する工程の前に二次電池をムーブメントの収容凹部に収容しておけばよいため、ムーブメントの組み立て工程内で二次電池を収容しておく必要がない。このため、ムーブメントを外装ケースに収容する際のいわゆる外装工程（時計の組み立て工程の最終工程）において、二次電池をムーブメント内に収容することができる。よって、二次電池をムーブメントに装着してから、時計を出荷するまでの期間を短くでき、その分、二次電池の電力消費量も小さくできる。
また、固定板の電池押さえ部は、平面視において、開口部側に向けて突出し、収容凹部と重なる位置に設けられ、二次電池を収容凹部に収容した際に二次電池に当接する当接部と、当接部よりも先端側に設けられた押圧部とを備える。そして、裏蓋が装着されると、押圧部が裏蓋に押圧されることで、当接部にも力が加わるため、当接部は裏蓋の非装着時よりも強い力で二次電池を押圧する。これにより、裏蓋を装着するのみの簡単な作業で、電池押さえ部の当接部が二次電池の上面を押圧するので、二次電池を収容凹部に確実に固定でき、上述した外部からの衝撃を受けた場合でも二次電池が収容凹部から外れることを防止できる。
【００１５】
本発明の時計では、前記マイナスリード板の端子部は、長手方向に直交する幅寸法が、前記リード板本体の幅寸法よりも小さい長手板状に形成され、前記絶縁板の端子被覆部は、本体被覆部側の幅寸法に比べて先端側の幅寸法が小さく、かつ、面積が前記端子部よりも大きな平面形状に形成されていることが好ましい。
【００１６】
本発明によれば、絶縁板の端子被覆部は、例えば平面形状が略三角形状や略台形状に形成されている。このため、端子被覆部が端子部と同じ平面形状で形成される場合に比べ、マイナスリード板に絶縁板を接着する際の位置合わせ作業を容易に行うことができる。すなわち、端子被覆部が端子部と同じ平面形状で形成される場合、僅かに位置がずれても端子部が露出してしまうため、マイナスリード板と絶縁板との位置合わせを正確に行わなければならず、貼付作業の難易度が極端に上がってしまう。
これに対し、本発明では、端子被覆部の面積が端子部の面積より大きいため、マイナスリード板と絶縁板との位置合わせが多少ずれても端子部が露出することがないため、貼付作業の難易度を低減できる。
【００１７】
本発明の時計では、前記絶縁板は、絶縁性の材料で構成された基材と、基材上に積層された保護材とを備えて構成されていることが好ましい。
【００１８】
本発明によれば、基材表面にコメントを印刷し、その印刷面にラミネートフィルムなどの保護材を積層できる。このため、絶縁板に二次電池の組み込み作業時の注意事項などを印刷でき、組み立て作業性を向上できる。
【図面の簡単な説明】
【００１９】
【図１】本発明の一実施形態に係る時計の時計本体を示す斜視図。
【図２】前記時計本体から二次電池ユニットを取り外した状態の拡大分解斜視図。
【図３】前記二次電池ユニットの分解斜視図。
【図４】前記時計の要部を示す拡大断面図。
【図５】前記二次電池ユニットの絶縁板の平面図、側面図、及び底面図。
【図６】前記時計本体の固定板を示す斜視図。
【図７】前記時計本体の拡大平面図。
【図８】前記時計の要部を示す拡大断面図。
【図９】前記固定板の側面図。
【発明を実施するための形態】
【００２０】
本発明の一実施形態を図面に基づいて説明する。
〔時計の概略構成〕
図１は、本実施形態に係る時計１の時計本体１０を示す斜視図であり、具体的には、裏蓋側から見た斜視図である。なお、以下で記載する「上」、「下」は、時計１の裏蓋側を上側となるようにして見た時の時計１の厚さ方向における上下に相当するものである。
時計１は、図示しない太陽電池を備え、この太陽電池で発電された電力を二次電池に充電して用いるものである。この時計１は、図１に示すように、時計本体１０を備える。そして、この時計１は、時計本体１０が図示しない外装ケースに収容されることで概略構成され、利用者が腕に装着して使用する腕時計タイプとされている。
ここで、外装ケースは、一般的に、筒状のケースと、筒状のケースの一方の開口を閉塞する裏蓋１１（図８参照）と、筒状ケースの他方の開口を閉塞するカバーガラスとで構成される。
【００２１】
〔時計本体の概略構成〕
時計本体１０は、図１に示すように、ムーブメント２と、ムーブメント２に収容される二次電池ユニット３と、ムーブメント２に収容された二次電池ユニット３を固定する固定板４とで概略構成される。
【００２２】
〔ムーブメントの構成〕
図２は、時計本体１０から二次電池ユニット３を取り外した状態を部分的に拡大して示す拡大分解斜視図である。
ムーブメント２は、地板２１と、回路基板２２（図４参照）とを備える他、ステッピングモーター、駆動輪列等が組み込まれた一般的な構成を採用しているため、以下では各部の説明を省略する。また、ムーブメント２には、裏蓋１１（図８参照）側に開口し、二次電池ユニット３が収容される平面視略円形状の収容凹部２３が形成されている。
また、ムーブメント２には、回路基板２２（図４参照）と導通する正極端子２Ａと、回路基板２２にパターン形成された負極端子２Ｂと、上面から裏蓋１１（図８参照）に向けて突出する位置決め突起部２Ｃと、収容凹部２３の内側面にＬ字状に形成される抑え部２Ｄとが設けられている。
【００２３】
正極端子２Ａは、回路基板２２のプラスパターンに導通し、収容凹部２３の側面のうち、一部が切り欠かれた切欠部２３Ａの端縁から収容凹部２３の周方向に沿って延出している。そして、正極端子２Ａは、二次電池ユニット３が収容凹部２３に収容されると、後述する二次電池３１の側面に当接して外側に押圧されて撓むため、収容凹部２３側に戻ろうとして二次電池３１の側面を押圧し、二次電池ユニット３を保持する。
負極端子２Ｂは、回路基板２２のマイナスパターンに導通し、収容凹部２３の外側においてムーブメント２の裏蓋側に露出しており、二次電池ユニット３の後述するマイナスリード板３２（リード板）に当接される。
位置決め突起部２Ｃは、円柱状に形成されて、二次電池ユニット３を収容凹部２３の周方向に対して位置決めするものである。
抑え部２Ｄは、二次電池ユニット３の二次電池３１の上面に当接し、収容凹部２３に収容された二次電池ユニット３が裏蓋１１側に浮き上がることを、正極端子２Ａや後述する電池押さえ部４１と共に抑制するものである。
【００２４】
〔二次電池ユニットの構成〕
図３は、二次電池ユニット３の分解斜視図であり、図４は、二次電池ユニット３がムーブメント２内に収容された状態を示す拡大断面図である。
二次電池ユニット３は、図３及び図４に示すように、二次電池３１と、二次電池３１の上面を覆うマイナスリード板３２と、マイナスリード板３２の上面を覆う絶縁板３３とを備える。この二次電池ユニット３は、正極端子２Ａ（図２参照）及び負極端子２Ｂに接続されることで、図示しない太陽電池で発電された電力が充電されるとともに、回路基板２２等に電力を供給し、モーターなどの駆動機構を駆動する。
【００２５】
二次電池３１は、リチウムイオン電池等の充電が可能な一般的なボタン型の電池である。この二次電池３１は、図３に示すように、上方が開口した正極缶３１１と、正極缶３１１の開口を閉塞する負極キャップ（負極缶）３１２と、正極缶３１１と負極キャップ３１２とを絶縁するとともに、二次電池３１内部の活物質や電解液が漏れないようにシールするガスケット３１３とを備える。
【００２６】
マイナスリード板３２は、導体を有する材質で構成され、図４に示すように、二次電池３１の負極キャップ３１２の上面に溶接で固定されるとともに、回路基板２２と導通する負極端子２Ｂに接触される。このマイナスリード板３２は、図３及び図４に示すように、二次電池３１の負極キャップ３１２に固定される板状のリード板本体３２Ａと、リード板本体３２Ａの側面から二次電池３１の外周側に延出し、さらに下側に屈曲される端子部３２Ｂと、リード板本体３２Ａの側面から延出する位置決め部３２Ｃとを備える。
【００２７】
端子部３２Ｂは、ばね性を持たせるため、細長い板状に形成されている。また、端子部３２Ｂは、二次電池ユニット３がムーブメント２の収容凹部２３に収容されていない場合、図４の二点鎖線で示すように、端子部３２Ｂの先端が二次電池３１の厚さ寸法の略中間に位置するように形成されている。
一方、二次電池ユニット３がムーブメント２内部に収容されると、端子部３２Ｂは、端子部３２Ｂの先端が負極端子２Ｂと当接するため、実線で示す位置となる。すなわち、二次電池ユニット３が収容凹部２３に収容されると、負極端子２Ｂの高さ位置は、端子部３２Ｂの初期位置よりも上方にあるため、端子部３２Ｂは上方に撓む。このため、端子部３２Ｂは、二点鎖線の位置に戻ろうとする力が作用し、負極端子２Ｂに圧接して確実に接触する。また、端子部３２Ｂが撓むことで、二次電池３１を上方に押し上げる力が働くが、二次電池３１は、正極端子２Ａ、及び固定板４の後述する電池押さえ部４１の当接部４１Ａによって保持されるため、端子部３２Ｂからの力で裏蓋１１側に押し上げられることはない。
位置決め部３２Ｃには、平面視半円形状の係合部３２Ｃ１が切り欠き形成されている。この係合部３２Ｃ１には、ムーブメント２の位置決め突起部２Ｃ（図１及び図２参照）が係合されることで、二次電池ユニット３が収容凹部２３の周方向に対して位置決め固定される。
【００２８】
図５は、絶縁板３３の平面図、側面図、及び底面図である。
絶縁板３３は、図５に示すように、絶縁性を有するプラスチック材等で構成される基材３３１、及び基材３３１の上面に印刷された文字等を保護するためにラミネート加工による積層される保護材３３２の２層構造で構成される。基材３３１としては、例えば、ＰＥＴ材（ポリエチレンテレフタレート）等が用いられ、保護材３３２としては、ラミネートフィルム等が用いられる。
この絶縁板３３は、図３から図５に示すように、マイナスリード板３２のリード板本体３２Ａの上面に接着される本体被覆部としての平面部３３Ａと、マイナスリード板３２の端子部３２Ｂを覆う位置に形成されて、平面部３３Ａの端縁から延出した端子被覆部としての可動部３３Ｂとを備える。
絶縁板３３は、一次電池を誤ってムーブメントに組み込まれることを防止する目的で設けられており、コメントシールとしても機能している。基材３３１の上面に誤組防止のコメントを印刷し、この上に保護材３３２が積層されている。
【００２９】
平面部３３Ａは、互いに略直交する２つの直線と、各直線の端部間をつながる円弧とを備えた平面形状とされている。円弧部分は、図７にも示すように、二次電池３１の外周にほぼ沿って形成されている。
また、平面部３３Ａは、図５に示す基材３３１の裏面の所定領域（点線部分まで）に接着剤３３３が塗布されて、リード板本体３２Ａの上面に接着される。なお、前記接着剤３３３は、予め接着層として平面部３３Ａの裏面に積層され、接着層の他面には台紙が貼られたシールタイプとされている。このため、絶縁板３３をリード板本体３２Ａに接着する際には、台紙を剥がして接着層を露出させてリード板本体３２Ａに接着するという簡単な作業で行うことができる。
【００３０】
可動部３３Ｂは、前記平面部３３Ａの２つの直線の一方側に連続して形成されている。そして、可動部３３Ｂは、端子部３２Ｂの先端に向かう方向に進むに従って、その方向に直交する幅寸法が徐々に小さくなる略台形状に形成されている。可動部３３Ｂの先端の幅寸法は、端子部３２Ｂの幅寸法とほぼ同一とされている。また、可動部３３Ｂには、接着層が設けられていないので、可動部３３Ｂは端子部３２Ｂに接着されていない。
そして、可動部３３Ｂは、二次電池ユニット３がムーブメント２の収容凹部２３に収容されていない場合、平面部３３Ａと同一平面上にあるが、二次電池ユニット３がムーブメント２の収容凹部２３に収容された場合、図４に示すように、端子部３２Ｂの上方への移動に伴って端子部３２Ｂに押圧されて可動する（変形する）。すなわち、可動部３３Ｂは、二次電池ユニット３をムーブメント２の収容凹部２３への収容時に、端子部３２Ｂの上方への動作を妨げないようになっている。
【００３１】
〔固定板の構成〕
図６は、固定板４を示す斜視図である。
固定板４は、図６に示すように、ムーブメント２に対応する形状の板状体であり、二次電池ユニット３をムーブメント２の収容凹部２３に対して固定する。また、固定板４は、図１に示すように、３つのねじ５０を介して、ムーブメント２の上面に固定されている。この固定板４には、ムーブメント２の収容凹部２３に対応する位置に開口部４Ａが形成される。そして、固定板４は、開口部４Ａ内に向けて突出した電池押さえ部４１と、電池押さえ部４１の基端の近傍に形成された一対の被押圧部４２と、固定板４の上面に互いに異なる位置に形成された３つの板押さえ部４３とを備える。
【００３２】
図７は、時計本体１０の要部を拡大した拡大平面図であり、図８は、時計１を固定板４の電池押さえ部４１の位置で断面した拡大断面図である。図９は、固定板４の側面図である。
電池押さえ部４１は、図７に示すように、裏蓋１１側から見た平面視で、固定板４の基端部４Ｂから収容凹部２３と重なる方向に延出し、片持ちばね状に形成される。より具体的には、電池押さえ部４１は、図６に示すように、固定板４の基端部４Ｂから二股に分岐して上方に向かう分岐部４１０と、分岐部４１０の先端から分岐部４１０の二股の構成を中間まで維持しながら下方に向けて傾斜する傾斜部４１１と、傾斜部４１１の先端から上斜め方向に突出する突出部４１２とを備える。
【００３３】
電池押さえ部４１の屈曲部分である傾斜部４１１と突出部４１２との間には、二次電池ユニット３がムーブメント２の収容凹部２３に収容された際に、二次電池ユニット３の上面に当接する当接部４１Ａが形成される。そして、この当接部４１Ａは、二次電池ユニット３の収容凹部２３への収容時に端子部３２Ｂが負極端子２Ｂから受ける反力により、二次電池ユニット３の上面に当接する。
また、当接部４１Ａよりも先端側で、かつ電池押さえ部４１の先端には、図６から図８に示すように、裏蓋１１の装着時に裏蓋１１に押圧される押圧部４１Ｂが形成される。すなわち、押圧部４１Ｂの固定板４の上面からの高さ寸法は、図９に示すように、被押圧部４２及び板押さえ部４３の先端の固定板４の上面からの高さ寸法よりも大きく、押圧部４１Ｂは固定板４の上面から最も高い位置にある。
これにより、電池押さえ部４１は、裏蓋１１の装着時に、図８に示すように、押圧部４１Ｂが裏蓋１１に押圧されるため、二次電池ユニット３に当接している電池押さえ部４１の当接部４１Ａに下方に向けた力が作用する。従って、当接部４１Ａがさらに二次電池ユニット３の上面を押圧しながら、二次電池ユニット３が収容凹部２３に固定されて、固定板４は、二次電池ユニット３の収容凹部２３における時計厚み方向の位置決め固定をする。
【００３４】
また、電池押さえ部４１は、図７に示す平面視において、収容凹部２３の中心位置Ｏと正極端子２Ａとの間で、当接部４１Ａが負極キャップ３１２の領域内に位置するように、ムーブメント２の外側に偏心して設けられている。このため、収容凹部２３の一方の開口（ムーブメント２の内側寄り）が他方の開口（ムーブメント２の外側寄り）よりも大きく開口している。
この際、電池押さえ部４１が二次電池ユニット３の中心からずれた位置に当接することで、前記当接部４１Ａに対して中心位置Ｏを挟んだ二次電池ユニット３の反対側が浮き上がるおそれがあるが、その反対側にあるムーブメント２の抑え部２Ｄが二次電池３１の上面に当接することで、二次電池ユニット３の浮き上がりを抑制している。
なお、このような構成であれば、例えば、裏蓋１１に固定されたアラーム機能のための圧電素子を収容凹部２３の一方の開口側のスペースに配置することも可能である。
【００３５】
被押圧部４２は、図８に示すように、裏蓋１１の装着時に先端が押圧されるものである。すなわち、二次電池ユニット３をムーブメント２の収容凹部２３に固定板４により固定して、裏蓋１１を装着する際、上述したように電池押さえ部４１の押圧部４１Ｂが被押圧部４２及び板押さえ部４３の先端に比べて固定板４の上面から最も高い位置にあるため、この押圧部４１Ｂが最初に裏蓋１１に押圧されることとなる。このため、固定板４の基端部４Ｂは、ねじ５０によりムーブメント２に対してねじ止めされていないため、上方に向けて浮き上がるおそれがある。そこで、被押圧部４２は、この固定板４の浮き上がりを抑制している。
また、被押圧部４２は、図６に示すように、固定板４の基端部４Ｂから互いに異なる方向に延出した第１被押圧部４２１、及び第２被押圧部４２２を備える。被押圧部４２は、電池押さえ部４１の押圧部４１Ｂによる固定板４の浮き上がりを抑制する効果をより高めるために、電池押さえ部４１の基端の近傍に設けられている。
【００３６】
第１被押圧部４２１は、開口部４Ａの開口端縁から電池押さえ部４１に沿う方向に延出し、上斜め方向に突出している。この第１被押圧部４２１の先端の固定板４の上面からの高さ寸法は、固定板４の上面から電池押さえ部４１の押圧部４１Ｂ、被押圧部４２の第２被押圧部４２２の先端、及び各板押さえ部４３の先端までの高さ寸法よりも小さくされる。
第２被押圧部４２２は、固定板４の基端部４Ｂから第１被押圧部４２１の延出方向とは反対方向に延出し、長手方向の寸法が第１被押圧部４２１よりも長く形成されている。
【００３７】
板押さえ部４３は、被押圧部４２と同様の機能を有し、裏蓋１１の装着時に先端が押圧されることで、固定板４の浮き上がりを抑制するものである。各板押さえ部４３は、図６に示すように、固定板４がねじ５０によりねじ止めされていない部分に形成され、固定板４の上面の周方向に沿って形成されている。そして、各板押さえ部４３の先端、及び被押圧部４２の第２被押圧部４２２の先端の固定板４の上面からの高さ寸法は、同一となっている。これにより、裏蓋１１の装着時に、裏蓋１１が電池押さえ部４１の押圧部４１Ｂを押圧してから、第２被押圧部４２２、及び各板押さえ部４３を押圧することで、押圧部４１Ｂが押圧されることで生じる固定板４の浮き上がりを抑制している。
【００３８】
〔時計の組み立て〕
次に、時計本体１０の組み立て方法について図面を参照して説明する。また、以下の説明の中では、裏蓋１１の装着時に電池押さえ部４１の当接部４１Ａ及び押圧部４１Ｂに生じる力の作用等についても説明する。
固定板４がねじ５０を介してムーブメント２に取り付けられた状態において、二次電池ユニット３を収容凹部２３に収容する。具体的に、電池押さえ部４１は平面視において収容凹部２３の中心位置Ｏ（図７参照）に対して偏心して設けられているため、二次電池ユニット３は、一方（ムーブメント２の内側寄り）の大きく開口した収容凹部２３の開口から収容される。
【００３９】
この際、図７に示すように、二次電池ユニット３の位置決め部３２Ｃの係合部３２Ｃ１をムーブメント２の位置決め突起部２Ｃに係合させる。そして、二次電池ユニット３の上面を当接部４１Ａに当接させつつ、二次電池ユニット３の端子部３２Ｂを負極端子２Ｂに当接させる。また、正極端子２Ａは、二次電池ユニット３の正極缶３１１を押圧している。
具体的に、図４に示すように、二次電池ユニット３の端子部３２Ｂが負極端子２Ｂに当接すると、端子部３２Ｂは上方に撓み、負極端子２Ｂに圧接する。このため、二次電池ユニット３は、端子部３２Ｂのばね力で上方へ移動しようとし、当接部４１Ａは、端子部３２Ｂから加えられた力を受ける。また、二次電池ユニット３が上方へ移動しようとするため、二次電池ユニット３の正極缶３１１の側面を押圧している正極端子２Ａと正極缶３１１との間で摩擦が生じる。
ここで、負極端子２Ｂに接触することで生じる端子部３２Ｂの反力と、電池押さえ部４１及び正極端子２Ａによって生じる力とがほぼ釣り合うことになる。このため、二次電池ユニット３は、裏蓋１１が装着される前のムーブメント状態においても、電池押さえ部４１及び正極端子２Ａにより収容凹部２３内に保持される。
【００４０】
次に、二次電池ユニット３が収容された時計本体１０を図示しない筒状ケースに収容して、一方の開口を閉塞するように裏蓋１１を装着する。この際、電池押さえ部４１は、図８に示すように、押圧部４１Ｂが裏蓋１１に押圧されることとなる。そして、押圧部４１Ｂが裏蓋１１に押圧されることで、二次電池ユニット３と当接していた当接部４１Ａが下方に向けて押圧されて、二次電池ユニット３に当接部４１Ａから力が加えられる。
このため、二次電池ユニット３は、裏蓋１１が装着されることで、当接部４１Ａに押圧され、収容凹部２３に確実に固定される。
なお、上記の時計本体１０の組み立て方法は、ムーブメント２を筒状のケースに収容する前に、二次電池ユニット３をムーブメント２に収容していたが、先にムーブメント２を筒状のケースに収容した後に、外装工程において、二次電池ユニット３をムーブメント２に収容し、裏蓋１１を装着して二次電池ユニット３を固定してもよい。
【００４１】
上述した本実施形態に係る時計１によれば、以下の効果を奏する。
本実施形態によれば、二次電池ユニット３は、負極キャップ３１２側が裏蓋１１側に配置され、正極缶３１１側が地板２１側に配置されて収容凹部２３に収容される。そして、負極キャップ３１２上にはマイナスリード板３２が固着され、マイナスリード板３２の表面には絶縁板３３が接着されている。このため、時計に衝撃が加わったために二次電池３１が収容凹部２３から裏蓋１１側に動いた場合でも、絶縁板３３が裏蓋１１に接触するため、マイナスリード板３２と裏蓋１１とが接触してショートすることを防止できる。
【００４２】
また、マイナスリード板３２の端子部３２Ｂは、二次電池３１の外周まで延出されているので、収容凹部２３の外側に配置した負極端子２Ｂに端子部３２Ｂを接触させて導通させることができる。
この際、二次電池３１の負極キャップ３１２側つまりマイナスリード板３２側が裏蓋１１側に配置されているので、端子部３２Ｂと負極端子２Ｂとの導通状態を容易に確認できる。さらに、端子部３２Ｂは裏蓋１１側からつまり二次電池３１の組込み方向から負極端子２Ｂに接触するため、二次電池ユニット３の配置作業も容易に行うことができる。
【００４３】
さらに、前記絶縁板３３の可動部（端子被覆部）３３Ｂには接着層が設けられていないので、前記端子部３２Ｂのばね力に影響を与えることがなく、端子部３２Ｂが二次電池３１の正極缶３１１に接触することも確実に防止できる。
特に、前記実施形態の可動部３３Ｂは、端子部３２Ｂよりも面積が大きいため、可動部３３Ｂに接着層を設けると、可動部３３Ｂにおける端子部３２Ｂの両側の部分が二次電池３１に接着されてしまう。この場合、可動部３３Ｂで押さえつけられた端子部３２Ｂが二次電池３１の正極缶３１１に接触してショートするおそれがある。
これに対し、本実施形態では、可動部３３Ｂに接着層が形成されていないので、端子部３２Ｂが可動部３３Ｂで押さえつけられて正極缶３１１に接触することを確実に防止できる。
また、可動部３３Ｂは端子部３２Ｂに接着されていないので、端子部３２Ｂのばね性に影響を与えることがなく、端子部３２Ｂと負極端子２Ｂとを確実に導通させることができる。
【００４４】
さらに、可動部３３Ｂは、端子部３２Ｂよりも面積が大きいため、端子部３２Ｂに対する可動部３３Ｂの位置が多少ずれても端子部３２Ｂが露出することがない。このため、絶縁板３３の貼付作業の難易度を低減できる。
【００４５】
さらに、絶縁板３３の基材３３１の表面にコメントを印刷し、その印刷面にラミネートフィルムなどの保護材３３２を積層しているので、コメント印刷が消えてしまうことを防止できる。このため、絶縁板３３に二次電池３１の組み込み作業時の注意事項などを印刷でき、組み立て作業性を向上できる。
【００４６】
また、ムーブメント２の収容凹部２３に収容される二次電池ユニット３は、裏蓋１１が装着されることで、固定板４の電池押さえ部４１により押圧されて、収容凹部２３に固定される。すなわち、従来のように、二次電池を固定するためのねじ止め等を不要にでき、裏蓋１１を装着するのみの組み立て工程内で二次電池ユニット３をムーブメント２に収容して固定できる。従って、組み立て工程を簡略化でき、組み立て性を向上できる。一方、時計１内部のメンテナンス時においても、裏蓋１１を取り外すのみの作業で、二次電池ユニット３を収容凹部２３から容易に取り外すことができ、二次電池ユニット３の取り外し作業を簡略化できる。
さらに、裏蓋１１を装着することで二次電池ユニット３をムーブメント２の収容凹部２３に固定する。すなわち、裏蓋１１を装着する工程の前に二次電池ユニット３をムーブメント２の収容凹部２３に収容しておけばよいため、ムーブメント２の組み立て工程内で二次電池ユニット３を収容しておく必要がない。このため、ムーブメント２を外装ケースに収容する際のいわゆる外装工程（時計の組み立て工程の最終工程）において、二次電池ユニット３をムーブメント２内に収容することができる。よって、二次電池ユニット３をムーブメント２に装着してから、時計１を出荷するまでの期間を短くでき、その分、二次電池３１の電力消費量も小さくでき、時計１の出荷時に時計１の持続時間を確保することができる。
【００４７】
また、電池押さえ部４１は、裏蓋１１に当接することで大きな押圧力を発生するため、電池押さえ部４１自体で大きな押圧力を発生させる必要がない。このため、裏蓋１１の装着前であれば、電池押さえ部４１を裏蓋１１側に変位させることができる。このため、二次電池ユニット３を収容凹部２３に収容する際、例えば、電池押さえ部４１を持ち上げることが可能であり、二次電池ユニット３を容易に収容凹部２３に収容できる。
【００４８】
［実施形態の変形］
なお、本発明は前述の実施形態に限定されるものではなく、本発明の目的を達成できる範囲での変形、改良等は本発明に含まれるものである。
前記実施形態では、本発明に係る時計として太陽電池付の時計１を例示したが、二次電池が内蔵されている時計であればよく、例えば、回転錘で発電機のローターを回転させることで発電した電力を二次電池に充電するような構成を備える時計であってもよい。
【００４９】
絶縁板３３としては、基材３３１と保護材３３２とが積層されたものに限定されない。例えば、基材３３１表面にコメント等を印刷しない場合には、保護材３３２を設けずに基材３３１のみで構成してもよい。
【００５０】
さらに、絶縁板３３の形状も前記実施形態に限らない。例えば、マイナスリード板３２の平面形状と同じ形状で構成してもよい。要するに、二次電池３１の負極キャップ３１２やマイナスリード板３２を被覆できる形状であればよい。
【００５１】
二次電池ユニット３を収容凹部２３に保持する構成としては、電池押さえ部４１を用いたものに限らない。例えば、特許文献２のように、二次電池３１の外周面を保持する保持構造を採用してもよいし、裏蓋１１で二次電池ユニット３を押さえる構造を採用してもよい。
前記実施形態では、本発明に係る時計として、腕時計タイプの時計を例示して説明したが、これに限らず、壁掛け時計等、他のタイプの時計であってもよい。
【符号の説明】
【００５２】
１…時計、２…ムーブメント、２Ａ…正極端子、２Ｂ…負極端子、３…二次電池ユニット（二次電池）、４…固定板、１１…裏蓋、２２…回路基板、２３…収容凹部、３１…二次電池、３１１…正極缶、３１２…負極キャップ、３２…マイナスリード板、３２Ａ…リード板本体、３２Ｂ…端子部、３３…絶縁板、３３Ａ…平面部、３３Ｂ…可動部、３３１…基材、３３２…保護材、３３３…接着剤。
【図１】
2012108042.tif 000003
【図２】
2012108042.tif 000004
【図３】
2012108042.tif 000005
【図４】
2012108042.tif 000006
【図５】
2012108042.tif 000007
【図６】
2012108042.tif 000008
【図７】
2012108042.tif 000009
【図８】
2012108042.tif 000010
【図９】
2012108042.tif 000011